(57)【要約】【課題】カートリッジの装置本体に対する誤った挿入を抑制できる画像形成装置を提供すること。【解決手段】プリンタ１では、第１干渉部６４および第２干渉部８７を有するプロセスカートリッジ１５が、装着軌跡と異なる軌跡で本体ケーシング２に挿入されたときに、第１干渉部６４および第２干渉部８７が、本体ケーシング２に設けられる突起１１１と接触される。そして、第１干渉部６４および第２干渉部８７が、対応する突起１１１と接触するとき、プロセスカートリッジ１５が、第１干渉部６４および第２干渉部８７が対応する突起１１１から離れる方向に移動することが規制される。【選択図】図８
2014102405.tif 000002
【特許請求の範囲】
【請求項１】
軸線を中心として回転するように構成され、かつ、現像剤を担持するように構成される回転体を有するカートリッジと、
前記カートリッジが装着されるように構成されるカートリッジ装着部を有する装置本体と、を備え、
前記装置本体は、
前記カートリッジ装着部に対する前記カートリッジの装着をガイドするように構成されるガイド部と、
前記ガイド部にガイドされて、前記カートリッジ装着部に装着されるときの前記カートリッジの装着軌跡と異なる軌跡で、前記カートリッジが前記装置本体に挿入されたときに、前記カートリッジの挿入を規制する規制部と、を有し、
前記カートリッジは、
前記異なる軌跡で前記装置本体に挿入されたときに、前記規制部と接触する干渉部と、
前記規制部と前記干渉部とが接触するときに、前記干渉部が前記規制部から離れる方向に前記カートリッジが移動することを規制する規制部材とを有していることを特徴とする、画像形成装置。
【請求項２】
前記ガイド部は、
前記カートリッジを前記カートリッジ装着部に装着させるときに、前記カートリッジの前記軸線に沿う軸線方向の一方側である第１の側を、基準としてガイドするように構成されていることを特徴とする、請求項１に記載の画像形成装置。
【請求項３】
前記干渉部は、
前記軸線方向における前記第１の側に設けられる第１干渉部と、
前記軸線方向における前記第１の側と反対側の第２の側に設けられる第２干渉部と、を有し、
前記第２干渉部の前記軸線方向長さは、前記第１干渉部の前記軸線方向長さよりも長く形成されていることを特徴とする、請求項２に記載の画像形成装置。
【請求項４】
前記カートリッジは、前記回転体を収容するフレームを有し、
前記第２干渉部は、前記フレームとは別部材として、前記フレームに支持されていることを特徴とする、請求項３に記載の画像形成装置。
【請求項５】
前記フレームは、
前記回転体を回転可能に支持する第１フレームと、
前記回転体を被覆するように、前記第１フレームに組み付けられる第２フレームとを有し、
前記第２フレームの前記第２の側の端部には、前記第２干渉部を支持する第２干渉部支持部が設けられ、
前記第２干渉部支持部は、補強されていることを特徴とする、請求項４に記載の画像形成装置。
【請求項６】
前記第２フレームは、前記回転体の表面を帯電するように構成される帯電器を支持し、
前記第１フレームの前記第１の側の端部には、前記第１干渉部を支持する第１干渉部支持部が設けられていることを特徴とする、請求項５に記載の画像形成装置。
【請求項７】
前記第１フレームは、前記軸線方向に互いに間隔を隔てて対向配置される壁部を有し、
前記第２の側に配置される前記壁部は、前記第１の側に配置される前記壁部よりも、剛性が大きくなるように構成されていることを特徴とする、請求項５または６に記載の画像形成装置。
【請求項８】
前記カートリッジは、
前記ガイド部にガイドされる第１被ガイド部を有し、
前記装置本体は、
前記規制部と前記干渉部とが接触するとき、前記第１被ガイド部と当接し、前記干渉部が前記規制部から離れる方向に前記カートリッジが移動することを規制する当接部を有していることを特徴とする、請求項１〜７のいずれか一項に記載の画像形成装置。
【請求項９】
前記装置本体には、前記カートリッジを着脱するための開口部が形成され、
前記当接部は、前記開口部を介して、前記カートリッジの装着方向の上流側から露出していることを特徴とする、請求項８に記載の画像形成装置。
【請求項１０】
前記干渉部は、
前記カートリッジにおいて、前記装着方向の下流側部分に設けられていることを特徴とする、請求項９に記載の画像形成装置。
【請求項１１】
前記カートリッジは、前記カートリッジ装着部に着脱されるときに把持される把持部を有し、
前記把持部は、
前記規制部と前記干渉部とが接触するとき、前記開口部から、前記装着方向の上流側に向かって突出していることを特徴とする、請求項１０に記載の画像形成装置。
【請求項１２】
前記装置本体は、
前記開口部を開放する開放位置と、前記開口部を閉鎖する閉鎖位置とに移動するように構成される開閉部材を有し、
前記開閉部材は、
前記規制部と前記干渉部とが接触するとき、前記開放位置から前記閉鎖位置への移動が規制されるように構成されていることを特徴とする、請求項１１に記載の画像形成装置。
【請求項１３】
前記開閉部材には、
前記開放位置から前記閉鎖位置に向けて移動するときに、前記規制部と前記干渉部との接触により前記装着方向の下流側への移動が規制される規制位置に配置される前記カートリッジの前記把持部を、前記第１被ガイド部が前記ガイド部に向かうように押圧する押圧部を有し、
前記カートリッジは、
前記把持部が前記押圧部に押圧されることにより、前記規制位置から、前記第１被ガイド部が前記ガイド部にガイドされるガイド位置に移動されるように構成されていることを特徴とする、請求項１２に記載の画像形成装置。
【請求項１４】
前記把持部は、
前記押圧部に押圧されたときに、前記カートリッジを前記規制位置から前記ガイド位置に向かって移動させる案内面を有していることを特徴とする、請求項１３に記載の画像形成装置。
【請求項１５】
前記第１被ガイド部は、前記軸線に沿う軸線方向に延びる略円柱形状に形成されていることを特徴とする、請求項１３または１４に記載の画像形成装置。
【請求項１６】
前記カートリッジは、
前記第１被ガイド部に対して、前記カートリッジの装着方向の下流側に設けられる第２被ガイド部を有し、
前記ガイド部は、
前記第１被ガイド部をガイドするように構成される第１ガイド部と、
前記第２被ガイド部をガイドするように構成される第２ガイド部とを有し、
前記干渉部は、
前記第２被ガイド部の近傍に配置されていることを特徴とする、請求項９〜１５のいずれか一項に記載の画像形成装置。
【請求項１７】
前記干渉部は、前記規制部を前記カートリッジの装着方向の上流側から受け入れるように構成されていることを特徴とする、請求項１〜１６のいずれか一項に記載の画像形成装置。
【発明の詳細な説明】
【技術分野】
【０００１】
本発明は、電子写真方式が採用される画像形成装置に関する。
【背景技術】
【０００２】
電子写真方式の画像形成装置として、本体ケーシングと、感光ドラムを備え、本体ケーシングに対して着脱可能に構成されるプロセスカートリッジとを備えるプリンタが知られている。
【０００３】
そのようなプリンタとしては、例えば、本体ケーシングに、プロセスカートリッジの装着を案内するためのガイド溝が設けられ、プロセスカートリッジが、感光ドラムを収容する筐体を備え、感光ドラムが、軸方向に沿って延び、両端部が筐体から突出するドラム軸を備えるレーザプリンタが提案されている（例えば、特許文献１参照）。
【０００４】
そして、そのようなプリンタでは、ドラム軸の両端部がガイド溝に嵌合されることにより、プロセスカートリッジの本体ケーシングに対する装着がガイドされる。
【先行技術文献】
【特許文献】
【０００５】
【特許文献１】特開２００５−２４２０６６号公報
【発明の概要】
【発明が解決しようとする課題】
【０００６】
しかるに、特許文献１に記載のプリンタでは、ドラム軸の両端部がガイド溝に嵌合されていない状態で、ユーザが誤って、プロセスカートリッジを本体ケーシングに無理に挿入してしまう場合がある。
【０００７】
そうすると、ドラム軸の両端部が本体ケーシング内の部材と干渉して、本体ケーシング内の部材が破損してしまう場合や、ドラム軸の両端部が本体ケーシング内の部材に引っ掛かり、誤って挿入されたプロセスカートリッジを、本体ケーシングから離脱させることが困難となる場合がある。
【０００８】
そこで、本発明の目的は、カートリッジの装置本体に対する誤った挿入を抑制できる画像形成装置を提供することにある。
【課題を解決するための手段】
【０００９】
（１）上記した目的を達成するために、本発明の画像形成装置は、軸線を中心として回転するように構成され、かつ、現像剤を担持するように構成される回転体を有するカートリッジと、カートリッジが装着されるように構成されるカートリッジ装着部を有する装置本体と、を備えている。
【００１０】
装置本体は、カートリッジ装着部に対するカートリッジの装着をガイドするように構成されるガイド部と、ガイド部にガイドされて、カートリッジ装着部に装着されるときのカートリッジの装着軌跡と異なる軌跡で、カートリッジが装置本体に挿入されたときに、カートリッジの挿入を規制する規制部と、を有している。
【００１１】
カートリッジは、異なる軌跡で装置本体に挿入されたときに、規制部と接触する干渉部と、規制部と干渉部とが接触するときに、干渉部が規制部から離れる方向にカートリッジが移動することを規制する規制部材とを有している。
【００１２】
このような構成によれば、装置本体がガイド部を有しているので、カートリッジがカートリッジ装着部に装着されるときに、カートリッジは、ガイド部にガイドされる。そのため、カートリッジのカートリッジ装着部に対する装着作業の円滑化を図ることができる。
【００１３】
また、装置本体が規制部を有し、カートリッジが干渉部を有しているので、カートリッジが、装着軌跡と異なる軌跡で装置本体に挿入されると、干渉部と規制部とが接触し、カートリッジの装置本体に対するそれ以上の挿入が規制される。そのため、カートリッジの装置本体に対する誤った挿入を抑制できる。
【００１４】
また、カートリッジは、規制部と干渉部とが接触するときに、干渉部が規制部から離れる方向に移動することが、規制部材により規制されている。そのため、装着軌跡と異なる軌跡で装置本体に挿入されたときに、干渉部と規制部とを確実に接触させることができる。
【００１５】
従って、本発明の画像形成装置によれば、カートリッジのカートリッジ装着部に対する装着作業の円滑化を図ることができながら、カートリッジの装置本体に対する誤った挿入を抑制できる。
（２）また、ガイド部は、カートリッジをカートリッジ装着部に装着させるときに、カートリッジの軸線に沿う軸線方向の一方側である第１の側を、基準としてガイドするように構成されていてもよい。
【００１６】
このような構成によれば、カートリッジがカートリッジ装着部に装着されるときに、ガイド部が、カートリッジの第１の側を基準としてガイドする。
【００１７】
そのため、カートリッジがカートリッジ装着部に装着されるときに、ガイド部がカートリッジの第１の側を確実にガイドできるので、カートリッジの安定した装着動作を確保することができる。
（３）また、干渉部は、軸線方向における第１の側に設けられる第１干渉部と、軸線方向における第１の側と反対側の第２の側に設けられる第２干渉部と、を有していてもよい。この場合、第２干渉部の軸線方向長さは、第１干渉部の軸線方向長さよりも長く形成されている。
【００１８】
しかるに、カートリッジがカートリッジ装着部に装着されるときに、ガイド部が、カートリッジの第１の側を基準としてガイドすると、カートリッジの第１の側と反対側の第２の側には、カートリッジの第１の側と比較して、相対的に大きなガタつきが生じる場合がある。
【００１９】
この点、上記の構成によれば、第２干渉部の軸線方向長さが、第１干渉部の軸線方向長さよりも長く形成されているので、カートリッジがカートリッジ装着部に装着されるときに、カートリッジの第２の側に相対的に大きなガタつきが生じても、第２干渉部と規制部とを確実に接触させることができる。
【００２０】
そのため、カートリッジの安定した装着動作を確保することができながら、カートリッジの装置本体に対する誤った挿入を確実に抑制できる。
（４）また、カートリッジは、回転体を収容するフレームを有していてもよい。この場合、第２干渉部は、フレームとは別部材として、フレームに支持されている。
【００２１】
しかるに、第２干渉部には、カートリッジがカートリッジ装着部に装着されるときに、カートリッジの第１の側と比較して、相対的に大きなガタつきが生じる場合がある。そのため、第２干渉部と規制部とが接触するときの衝撃は、第１干渉部と規制部とが接触するときの衝撃よりも大きくなる場合がある。
【００２２】
この点、上記の構成によれば、第２干渉部が、フレームとは別部材として、フレームに支持されているので、第２干渉部と規制部とが接触するときの衝撃が、回転体を収容するフレームに作用することを抑制でき、ひいては、回転体に作用することを抑制できる。そのため、フレームに対する回転体の位置精度が低下することを抑制できる。
（５）また、フレームは、回転体を回転可能に支持する第１フレームと、回転体を被覆するように、第１フレームに組み付けられる第２フレームとを有していてもよい。
【００２３】
第２フレームの第２の側の端部には、第２干渉部を支持する第２干渉部支持部が設けられていてもよい。この場合、第２干渉部支持部は、補強されている。
【００２４】
このような構成によれば、第２干渉部が第２干渉部支持部に設けられているので、第２干渉部と規制部との接触による衝撃は、第２干渉部を介して第２干渉部支持部に作用する。
【００２５】
この点、第２干渉部支持部は補強されているので、第２干渉部と規制部との接触による衝撃が第２干渉部支持部に作用しても、第２干渉部支持部が変形することを抑制できる。
（６）また、第２フレームは、回転体の表面を帯電するように構成される帯電器を支持していてもよい。この場合、第１フレームの第１の側の端部には、第１干渉部を支持する第１干渉部支持部が設けられている。
【００２６】
このような構成によれば、第１干渉部が、第１フレームに設けられる第１干渉部支持部に支持されているので、第１干渉部と規制部とが接触したときの衝撃が、帯電器を支持する第２フレームに作用することを抑制できる。そのため、帯電器と回転体との相対的な位置精度が低下することを抑制できる。
【００２７】
一方、第２干渉部は、第２フレームに設けられる第２干渉部支持部に支持されているが、第２干渉部支持部が、補強され変形が抑制されているので、第２干渉部と規制部とが接触したときの衝撃により、帯電器と回転体との相対的な位置精度が低下することを抑制できる。
（７）また、第１フレームは、軸線方向に互いに間隔を隔てて対向配置される壁部を有していてもよい。この場合、第２の側に配置される壁部は、第１の側に配置される壁部よりも、剛性が大きくなるように構成されている。
【００２８】
このような構成によれば、第１の側に配置される壁部と比較して、第２干渉部の近傍に配置される第２の側に配置される壁部が、第１の側に配置される壁部よりも、剛性が大きくなるように構成されている。
【００２９】
そのため、第２干渉部と規制部とが接触するときの衝撃が、第２の側に配置される壁部に作用しても、第２の側に配置される壁部が変形することを抑制できる。その結果、フレームに対する回転体の位置精度が低下することを確実に抑制できる。
（８）また、カートリッジは、ガイド部にガイドされる第１被ガイド部を有していてもよい。この場合、装置本体は、規制部と干渉部とが接触するとき、第１被ガイド部と当接し、干渉部が規制部から離れる方向にカートリッジが移動することを規制する当接部を有している。
【００３０】
このような構成によれば、カートリッジがカートリッジ装着部に対して装着されるときに、第１被ガイド部がガイド部にガイドされるので、カートリッジのカートリッジ装着部に対する円滑な装着作業を確実に確保することができる。
【００３１】
また、規制部と干渉部とが接触するとき、カートリッジの第１被ガイド部が、装置本体の当接部と当接するので、カートリッジが、干渉部が規制部から離れるように移動することを確実に規制できる。
（９）また、装置本体には、カートリッジを着脱するための開口部が形成されていてもよい。この場合、当接部は、開口部を介して、装着方向の上流側から露出している。
【００３２】
このような構成によれば、当接部が、開口部を介して、装着方向の上流側から露出しているので、規制部と干渉部とが接触したとき、当接部に当接する第１被ガイド部が、開口部を介して、装着方向の上流側から露出される。
【００３３】
そのため、ユーザは、第１被ガイド部と当接部とが当接していることを容易に確認でき、カートリッジが、装着軌跡と異なる軌跡で装置本体に挿入されていることを容易に把握できる。
（１０）また、干渉部は、カートリッジにおいて、カートリッジの装着方向の下流側部分に設けられていてもよい。
【００３４】
このような構成によれば、カートリッジの装着方向の下流側部分が、装着軌跡と異なる軌跡で、装置本体に挿入されると、干渉部と規制部とが接触し、カートリッジのそれ以上の挿入が規制される。
【００３５】
つまり、干渉部が、カートリッジの装着方向の上流側部分に設けられている場合と比較して、カートリッジの装置本体に対する誤った挿入時において、早期に、カートリッジの移動を規制できる。
（１１）また、カートリッジは、カートリッジ装着部に着脱されるときに把持される把持部を有していてもよい。把持部は、規制部と干渉部とが接触するとき、開口部から、装着方向の上流側に向かって突出していてもよい。
【００３６】
このような構成によれば、カートリッジがカートリッジ装着部に着脱されるときに、把持部が把持されるので、カートリッジのカートリッジ装着部に対する着脱作業の円滑化を図ることができる。
【００３７】
また、把持部は、規制部と干渉部とが接触したとき、開口部から、装着方向の上流側に向かって突出しているので、把持部を把持することにより、規制部と干渉部とが接触した状態のカートリッジを、装置本体から容易に離脱させることができる。
（１２）また、装置本体は、開口部を開放する開放位置と、開口部を閉鎖する閉鎖位置とに移動するように構成される開閉部材を有していてもよい。この場合、開閉部材は、規制部と干渉部とが接触するとき、開放位置から閉鎖位置への移動が規制されるように構成されている。
【００３８】
このような構成によれば、規制部と干渉部とが接触するとき、開閉部材の開放位置から閉鎖位置への移動が規制されるので、カートリッジが誤って装置本体に挿入されている状態で、開閉部材が閉鎖位置に配置されることを抑制できる。
（１３）また、開閉部材には、開放位置から閉鎖位置に向けて移動するときに、規制部と干渉部との接触により装着方向の下流側への移動が規制される規制位置に配置されるカートリッジの把持部を、第１被ガイド部がガイド部に向かうように押圧する押圧部を有していてもよい。この場合、カートリッジは、把持部が押圧部に押圧されることにより、規制位置から、第１被ガイド部がガイド部にガイドされるガイド位置に移動されるように構成されている。
【００３９】
このような構成によれば、開閉部材を、開放位置から閉鎖位置に向けて移動させると、押圧部がカートリッジの把持部を押圧し、第１被ガイド部がガイド部に向かって移動される。これにより、カートリッジが、規制位置からガイド位置に向かって移動される。
【００４０】
そのため、規制位置にあるカートリッジを、一旦装置本体から離脱させた後、再度、カートリッジを装置本体に挿入する必要がなく、開閉部材を開放位置から閉鎖位置に移動させることにより、カートリッジを、規制位置からガイド位置に移動できる。
【００４１】
その結果、カートリッジを誤って装置本体に挿入しても、離脱させることなく、カートリッジを、規制位置からガイド位置に移動できる。従って、カートリッジのカートリッジ装着部に対する着脱作業のより一層の円滑化を図ることができる。
（１４）また、把持部は、押圧部に押圧されたときに、カートリッジを規制位置からガイド位置に向かって移動させる案内面を有してもよい。
【００４２】
このような構成によれば、把持部が案内面を有しているので、押圧部が把持部を押圧したときに、案内面が、カートリッジを規制位置からガイド位置に向かって確実に移動させることができる。
（１５）また、第１被ガイド部は、軸線に沿う軸線方向に延びる略円柱形状に形成されていてもよい。
【００４３】
このような構成によれば、第１被ガイド部が略円柱形状に形成されているので、押圧部が把持部を押圧し、第１被ガイド部がガイド部に向かって移動されたときに、第１被ガイド部の円滑な移動を確保することができる。
【００４４】
そのため、開閉部材を開放位置から閉鎖位置に移動させたときに、カートリッジの規制位置からガイド位置への円滑な移動を確保できる。
（１６）また、カートリッジは、第１被ガイド部に対して、カートリッジの装着方向の下流側に設けられる第２被ガイド部を有していてもよい。ガイド部は、第１被ガイド部をガイドするように構成される第１ガイド部と、第２被ガイド部をガイドするように構成される第２ガイド部とを有していてもよい。この場合、干渉部は、第２被ガイド部の近傍に配置されている。
【００４５】
このような構成によれば、カートリッジが、カートリッジ装着部に装着されるときに、第１被ガイド部が第１ガイド部にガイドされ、第２被ガイド部が第２ガイド部にガイドされる。そのため、カートリッジのカートリッジ装着部に対する装着作業のより一層の円滑化を図ることができる。
【００４６】
また、規制部に接触する干渉部と、第２ガイド部にガイドされる第２被ガイド部とが互いに近傍に配置されているので、干渉部と第２被ガイド部との相対的な位置関係を一定に保つことができる。
【００４７】
そのため、カートリッジが装着軌跡と異なる軌跡で装置本体に挿入され、かつ、第２被ガイド部が第２ガイド部にガイドされるとき、例えば、第２被ガイド部が第２ガイド部にガイドされる一方、第１被ガイド部が第１ガイド部にガイドされていないときに、干渉部と規制部とをより一層確実に接触させることができる。
（１７）また、干渉部は、規制部をカートリッジの装着方向の上流側から受け入れるように構成されていてもよい。
【００４８】
このような構成によれば、カートリッジが装着軌跡と異なる軌跡で装置本体に挿入され、干渉部と規制部と接触したときに、干渉部が規制部を装着方向の上流側から受け入れるので、干渉部と規制部とを確実に係合させることができる。
【００４９】
そのため、装着軌跡と異なる軌跡において、カートリッジが装置本体に挿入されたときに、カートリッジの装置本体に対するそれ以上の挿入を確実に規制できる。
【発明の効果】
【００５０】
本発明の画像形成装置によれば、カートリッジの装置本体に対する誤った挿入を確実に抑制できる。
【図面の簡単な説明】
【００５１】
【図１】図１は、本発明の画像形成装置の一実施形態としてのプリンタの中央断面図を示す。
【図２】図２は、図１に示すプロセスカートリッジを左上側から見た斜視図を示す。
【図３】図３は、図２に示すプロセスカートリッジを右上側から見た斜視図を示す。
【図４】図４は、図３に示すプロセスカートリッジを前上側から見た斜視図を示す。
【図５】図５は、図１に示すプリンタを右上側から見た斜視図であって、プロセスカートリッジが装着位置にある状態を示す。
【図６】図６は、図１に示すプリンタを右上側から見た斜視図であって、プロセスカートリッジが規制位置にある状態を示す。
【図７】図７は、図６に示すプリンタの平面図を示す。
【図８】図８は、図７に示すプリンタのＡ−Ａ断面図である。
【図９】図９は、図７に示すプリンタのＢ−Ｂ断面図であって、プロセスカートリッジが規制位置にある状態を示す。
【図１０】図１０は、図８に示すプロセスカートリッジの移動状態を説明するためのプリンタのＢ−Ｂ断面図であって、プロセスカートリッジが規制位置からガイド位置への移動途中にある状態を示す。
【図１１】図１１は、図１０に続いて、プロセスカートリッジの移動状態を説明するためのプリンタのＢ−Ｂ断面図であって、プロセスカートリッジがガイド位置にある状態を示す。
【図１２】図１２は、図７に示すプリンタのＣ−Ｃ断面図であって、プロセスカートリッジが規制位置にある状態を示す。
【図１３】図１３は、図１２に示すプロセスカートリッジの移動状態を説明するためのプリンタのＣ−Ｃ断面図であって、プロセスカートリッジが規制位置からガイド位置への移動途中にある状態を示す。
【図１４】図１４は、図１３に続いて、プロセスカートリッジの移動状態を説明するためのプリンタのＣ−Ｃ断面図であって、プロセスカートリッジがガイド位置にある状態を示す。
【発明を実施するための形態】
【００５２】
１．プリンタの全体構成
画像形成装置の一例としてのプリンタ１は、図１に示すように、装置本体の一例としての本体ケーシング２を備えている。
【００５３】
本体ケーシング２は、略ボックス形状に形成され、その内部空間に、記録媒体の一例としての用紙Ｐを給紙するように構成される給紙部３と、給紙された用紙Ｐに画像を形成するように構成される画像形成部４とを収容している。
【００５４】
なお、以下の説明において、方向について言及する場合には、プリンタ１を水平に載置した状態を基準として、図１における紙面左側を後側とし、図１における紙面右側を前側とする。また、プリンタ１を前側から見たときを左右の基準とし、図１の紙面手側を左側とし、紙面奥側を右側とする。また、図１の紙面上側を上側とし、紙面下側を下側とする。
【００５５】
なお、左右方向が軸線方向の一例であり、左側が軸線方向の一方側である第１の側であり、右側が軸線方向の他方側である第２の側である。また、上下方向が、軸線方向と直交する直交方向の一例であり、下側が直交方向の一方側であり、上側が直交方向の他方側である。
（１）本体ケーシング
本体ケーシング２には、開口部の一例としてのカートリッジ開口部５と、用紙開口部６とが形成されている。
【００５６】
カートリッジ開口部５は、後述するプロセスカートリッジ１５を着脱するために形成され、本体ケーシング２の上端部において、上下方向に貫通形成されている。用紙開口部６は、用紙Ｐを導入するために形成され、本体ケーシング２の前端部における下端部において、前後方向に貫通形成されている。
【００５７】
また、本体ケーシング２には、その上端部に、開閉部材の一例としてのトップカバー７が設けられ、その前端部に、給紙カバー８が設けられている。
【００５８】
トップカバー７は、前後方向に延びるように形成され、その下面における前後方向略中央部分に、押圧部１０が設けられている。
【００５９】
押圧部１０は、後述する被押圧部７８に対応して複数、具体的には、図５に示すように、左右方向に互いに間隔を隔てて、２つ設けられている。また、押圧部１０は、図１に示すように、トップカバー７の下面から下方に向かって突出する側面視略矩形状に形成され、左右方向に延びるように形成されている。
【００６０】
また、押圧部１０の前面における下側部分は、傾斜面４３として区画されている。傾斜面４３は、押圧部１０の前面における上下方向略中央から下方に向かうに従って後方に傾斜するように形成されている。
【００６１】
そして、トップカバー７は、その後端部を支点として、カートリッジ開口部５を閉鎖する閉鎖位置と、図５に示すように、カートリッジ開口部５を開放する開放位置とに揺動可能に設けられている。
【００６２】
給紙カバー８は、図１に示すように、その下端部を支点として、用紙開口部６を閉鎖する閉鎖位置と、用紙開口部６を開放する開放位置とに揺動可能に設けられている。なお、図１において、閉鎖位置に配置されるトップカバー７および給紙カバー８のそれぞれを実線にて示し、閉鎖位置と開放位置との間に配置されるトップカバー７および給紙カバー８のそれぞれを仮想線にて示す。
（２）給紙部
給紙部３は、本体ケーシング２の底部に設けられる用紙載置部９を備えている。用紙載置部９は、用紙開口部６を介して、本体ケーシング２の外部と連通されている。
【００６３】
そして、用紙Ｐは、給紙カバー８が開放位置に配置された状態において、その前側部分が給紙カバー８の上面にスタックされるとともに、その後側部分が用紙開口部６を介して用紙載置部９内にスタックされる。
（３）画像形成部
画像形成部４は、カートリッジの一例としてのプロセスカートリッジ１５と、スキャナユニット１６と、定着ユニット１７とを備えている。
【００６４】
プロセスカートリッジ１５は、本体ケーシング２に対して着脱可能に構成され、給紙部３の後側部分の上側において本体ケーシング２に装着されている。プロセスカートリッジ１５は、本体ケーシング２に対して着脱可能に構成されるドラムカートリッジ１８と、ドラムカートリッジ１８に着脱可能に装着される現像カートリッジ１９とを備えている。
【００６５】
ドラムカートリッジ１８は、回転体の一例としての感光ドラム２０と、転写ローラ２１と、スコロトロン型帯電器２２とを備えている。
【００６６】
感光ドラム２０は、ドラムカートリッジ１８の後側部分に回転可能に設けられている。
【００６７】
転写ローラ２１は、感光ドラム２０に対して後側から圧接するように、感光ドラム２０の後側に配置され、ドラムカートリッジ１８に回転可能に設けられている。
【００６８】
スコロトロン型帯電器２２は、感光ドラム２０の前上側に間隔を隔てて対向配置されている。
【００６９】
現像カートリッジ１９は、感光ドラム２０の前下側に配置されている。また、現像カートリッジ１９は、現像フレーム２５を備えている。
【００７０】
現像フレーム２５は、左右方向に延びる略ボックス形状に形成されており、その後端部が後方に向かって開放されている。また、現像フレーム２５内には、トナー収容室２６と現像室２７とが前後方向に並列して区画されている。トナー収容室２６と現像室２７とは、連通口２８により連通されている。
【００７１】
トナー収容室２６には、現像剤の一例としてのトナーが収容され、その前後上下方向略中央部分には、アジテータ２９が設けられている。
【００７２】
また、現像室２７には、現像ローラ３４と、供給ローラ３３と、層厚規制ブレード３５とが設けられている。
【００７３】
現像ローラ３４は、左右方向に延びる現像ローラ軸５２と、その両端部が露出するように現像ローラ軸５２を被覆するゴムローラ４８とを備えている。現像ローラ３４は、ゴムローラ４８が後側および上側から露出し、感光ドラム２０に対して前下側から接触するように、現像室２７の後端部に配置されている。また、現像ローラ３４は、現像ローラ軸５２の両端部が、現像フレーム２５の左右両側壁に回転可能に支持されることによって、現像フレーム２５に支持されている。現像ローラ軸５２の両端部は、現像フレーム２５の左右両側壁から左右方向外方に向かって突出している。なお、現像ローラ軸５２の両端部のそれぞれには、図２および図３に示すように、略円筒形状に形成されるカラー部材４９が設けられている。カラー部材４９は、現像ローラ軸５２の両端部のそれぞれを径方向外側から被覆している。
【００７４】
供給ローラ３３は、図１に示すように、左右方向に延びる供給ローラ軸５０と、その両端部が露出するように供給ローラ軸５０を被覆するスポンジローラ５１とを備えている。
【００７５】
供給ローラ３３は、スポンジローラ５１がゴムローラ４８に前下側から圧接するように配置されるとともに、供給ローラ軸５０の両端部が、現像フレーム２５の左右両側壁に回転可能に支持されることによって、現像フレーム２５に支持されている。
【００７６】
層厚規制ブレード３５は、現像ローラ３４に前側から接触するように、現像フレーム２５に支持されている。
【００７７】
スキャナユニット１６は、本体ケーシング２内において、プロセスカートリッジ１５の前側に配置されている。スキャナユニット１６は、感光ドラム２０に向けて、画像データに基づくレーザービームＬを出射し、感光ドラム２０の周面を露光する。
【００７８】
定着ユニット１７は、本体ケーシング２内において、ドラムカートリッジ１８の後側部分の上側に配置されている。定着ユニット１７は、加熱ローラ３８と、加熱ローラ３８に対して後上側から圧接する加圧ローラ３９とを備えている。
（４）画像形成動作
現像カートリッジ１９のトナー収容室２６内のトナーは、アジテータ２９の回転により、連通口２８を介して、供給ローラ３３に供給され、さらに、現像ローラ３４に供給され、供給ローラ３３と現像ローラ３４との間で正極性に摩擦帯電される。
【００７９】
現像ローラ３４に供給されたトナーは、現像ローラ３４の回転に伴って、層厚規制ブレード３５によって厚さが規制され、一定厚さの薄層として現像ローラ３４の表面に担持される。
【００８０】
一方、感光ドラム２０の表面は、スコロトロン型帯電器２２によって一様に帯電された後、スキャナユニット１６によって露光される。これにより、感光ドラム２０の周面には、画像データに基づく静電潜像が形成される。そして、現像ローラ３４に担持されるトナーが感光ドラム２０の周面上の静電潜像に供給されることにより、感光ドラム２０の周面上にトナー像が担持される。
【００８１】
用紙載置部９にスタックされた用紙Ｐは、ピックアップローラ１１の回転により、給紙ローラ１２と給紙パッド１３との間に送られ、給紙ローラ１２の回転により１枚ずつ捌かれる。その後、捌かれた用紙Ｐは、給紙ローラ１２の回転により、上下方向に延びる給紙パス１４に搬送されて、所定のタイミングで１枚ずつ、感光ドラム２０と転写ローラ２１との間に給紙される。そして、用紙Ｐには、感光ドラム２０と転写ローラ２１との間を通過するときに、トナー像が転写され、画像が形成される。
【００８２】
続いて、用紙Ｐは、加熱ローラ３８と加圧ローラ３９との間を通過するときに加熱および加圧される。このとき、用紙Ｐには、画像が熱定着される。その後、用紙Ｐは、１対の排紙ローラ４０の間に向けて搬送され、排紙ローラ４０によって、トップカバー７の上面に形成される排紙トレイ４１上に排紙される。
【００８３】
このように用紙Ｐは、用紙載置部９から給紙され、感光ドラム２０と転写ローラ２１との間を通過し、次いで、加熱ローラ３８と加圧ローラ３９との間を通過した後、排紙トレイ４１に排紙されるように、側面視略Ｃ字状の搬送パスを搬送される。
２．プロセスカートリッジの詳細
プロセスカートリッジ１５は、上記し、図２および図３に示すように、ドラムカートリッジ１８と、現像カートリッジ１９とを備えている。
【００８４】
なお、以下のプロセスカートリッジ１５の説明において、方向について言及するときには、感光ドラム２０が配置されている側をプロセスカートリッジ１５の後側とし、スコロトロン型帯電器２２が配置されている側を上側とする。すなわち、プロセスカートリッジ１５に関する上下前後方向は、プリンタ１に関する上下前後方向と異なり、プロセスカートリッジ１５は、その前側がプリンタ１の前下側、その後側がプリンタ１の後上側となるように、プリンタ１に装着されている。
【００８５】
ドラムカートリッジ１８は、フレームの一例としてのドラムフレーム４５を備えている。
【００８６】
ドラムフレーム４５は、第１フレームの一例としてのベースフレーム４６と、第２フレームの一例としてのカバーフレーム４７とを備えている。
（１）ベースフレーム
ベースフレーム４６は、図１〜図３に示すように、ポリカーボネートとポリスチレンとのポリマーアロイなどの樹脂材料から形成され、壁部の一例としての左右１対のベース側壁５４と、ベース下壁５５と、ベース後壁５６と、ベース前壁５７とを一体的に備えている。
【００８７】
１対のベース側壁５４は、図２および図３に示すように、左右方向に互いに間隔を隔てて対向配置されている。
【００８８】
１対のベース側壁５４のうち、左側に配置されるベース側壁５４（以下、ベース左壁５４Ｌとする。）は、図２に示すように、その後側部分であり、第１干渉部支持部の一例としてのドラム収容部側壁６０と、その前側部分である現像収容部側壁６１とを一体的に有している。
【００８９】
ドラム収容部側壁６０は、側面視略矩形状の略平板形状に形成されている。現像収容部側壁６１は、ドラム収容部側壁６０の前端縁における下側部分から連続して、前上方に向かって延びる側面視略矩形状に形成されている。
【００９０】
また、ベース左壁５４Ｌには、カラー受入溝６２と、嵌合凹部６３とが形成されている。
【００９１】
カラー受入溝６２は、ドラム収容部側壁６０の前端部における現像収容部側壁６１との接続部分の上側に形成されており、ドラム収容部側壁６０の前端縁から前方に向かって凹む側面視略Ｕ字状に形成されている。また、カラー受入溝６２は、その下面が現像収容部側壁６１の上面と連続している。
【００９２】
嵌合凹部６３は、ドラム収容部側壁６０の左面における後側部分に形成されている。嵌合凹部６３は、ドラム収容部側壁６０の左面から右方に向かって凹み、かつ、ドラム収容部側壁６０の上端縁における後側部分から下方に向かって凹む側面視略矩形状に切り欠かれて形成されている。
【００９３】
また、ベース左壁５４Ｌには、干渉部の一例としての第１干渉部６４と、規制部材および第１被ガイド部の一例としての左側ガイドボス６５とが一体的に設けられている。
【００９４】
第１干渉部６４は、ドラム収容部側壁６０の上端面における前端部に設けられ、ドラム収容部側壁６０の上端面から上方に向かって突出する側面視略矩形状に形成されている。また、第１干渉部６４の後端面は、図８に示すように、上方に向かうに従って後方に傾斜するように形成されている。
【００９５】
左側ガイドボス６５は、図２に示すように、現像収容部側壁６１の左面における前端部に設けられ、現像収容部側壁６１の左面から左方に向かって突出する略円筒形状に形成されている。
【００９６】
また、１対のベース側壁５４のうち、右側に配置されるベース側壁５４（以下、ベース右壁５４Ｒとする。）は、図３に示すように、その後側部分であるドラム収容部側壁６８と、その前側部分である現像収容部側壁６９とを一体的に有している。
【００９７】
ドラム収容部側壁６８は、側面視略矩形状の略平板形状に形成されている。現像収容部側壁６９は、ドラム収容部側壁６０の前端縁における下側部分から連続して、前上方に向かって延びる側面視略矩形状に形成されている。
【００９８】
また、ベース右壁５４Ｒには、カラー受入溝７４と、嵌合凹部７０とが形成されている。
【００９９】
カラー受入溝７４は、左右方向に投影したときに、ベース左壁５４Ｌに形成されるカラー受入溝６２と一致するように、ドラム収容部側壁６８の前端部における現像収容部側壁６９との接続部分の上側に形成されている。
【０１００】
嵌合凹部７０は、ドラム収容部側壁６８の右面における上側部分に形成されている。また、嵌合凹部７０は、ドラム収容部側壁６８の右面から左方に向かって凹み、かつ、ドラム収容部側壁６０の上端縁における前後方向略中央部分から下方に向かって窪む側面視略半円形状に形成されている。
【０１０１】
また、ベース右壁５４Ｒには、補強部７１と、規制部材および第１被ガイド部の一例としての右側ガイドボス７２とが一体的に設けられている。
【０１０２】
補強部７１は、カラー受入溝７４を右側から被覆するように、ベース右壁５４Ｒの右面に設けられている。補強部７１は、上方に向かうに従って幅狭となる側面視略台形状に形成されており、その上側部分において、カラー受入溝７４を被覆し、下側部分において、ドラム収容部側壁６８と現像収容部側壁６９との接続部分を被覆している。これにより、ベース右壁５４Ｒは、補強部７１により補強されており、ベース左壁５４Ｌよりも、剛性が大きくなるように構成されている。
【０１０３】
右側ガイドボス７２は、現像収容部側壁６９の右面における前端部に設けられ、左右方向に投影したときに、左側ガイドボス６５と一致するように設けられている。また、右側ガイドボス７２は、現像収容部側壁６１の右面から右方に向かって突出する略円筒形状に形成されている。
【０１０４】
ベース下壁５５は、図１に示すように、両ベース側壁５４の下端部間に架設されるように、左右方向に長手の略平板形状に形成されている。
【０１０５】
ベース後壁５６は、図３に示すように、両ベース側壁５４の後端部間に架設されている。ベース後壁５６は、図１に示すように、前上方に向かって開放される側面視略円弧形状に形成され、左右方向に延びる略部分円筒形状に形成されている。ベース後壁５６の内側には、上記した転写ローラ２１が回転可能に収容されている。
【０１０６】
ベース前壁５７は、両ベース側壁５４の前端部間に架設されており、その下端部がベース下壁５５の前端部に接続されている。また、ベース前壁５７は、ベース下壁５５の前端部から連続して、上方に向かうに従って前方に傾斜するように形成されている。また、ベース前壁５７は、図９および図１２に示すように、左右方向に投影したときに、左側ガイドボス６５および右側ガイドボス７２の中心軸線よりも後側に配置されている。
【０１０７】
また、ベース前壁５７には、図２および図３に示すように、把持部７５が一体的に設けられている。把持部７５は、延出部７６と、把持部分７７と、被押圧部７８とを一体的に有している。
【０１０８】
延出部７６は、ベース前壁５７の上端部における左右方向略中央部分から連続して、図１に示すように、ベース前壁５７と傾斜が同じとなるように、上方に向かうに従って前方に傾斜して形成されている。
【０１０９】
把持部分７７は、図２および図３に示すように、延出部７６の後面における左右方向略中央部分から後方に向かって突出する略角筒形状に形成されている。
【０１１０】
被押圧部７８は、延出部７６の後面における左右両端部のそれぞれに設けられ、延出部７６の後面から後方に向かって突出する側面視略矩形状の略平板形状に形成されている。これにより、被押圧部７８は、把持部分７７の左右両端部のそれぞれに対して、左右方向の外側に間隔を隔てて対向配置されている。また、被押圧部７８の上端部は、延出部７６の上端部よりも僅かに下側に配置されている。また、被押圧部７８の上端面は、案内面の一例としてのガイド面７９として区画されている。ガイド面７９は、前後方向に沿って延びるように形成されている。
（２）カバーフレーム
カバーフレーム４７は、ベースフレーム４６の後側部分の上側に配置されている。
【０１１１】
カバーフレーム４７は、ポリカーボネートと、アクリロニトリル・ブタジエン・スチレン樹脂とのポリマーアロイなどの樹脂材料から形成され、左右方向に延び、下方および前方に向かって開放される略角筒形状に形成されている。カバーフレーム４７は、左右１対のカバー側壁８０と、カバー上壁８１と、カバー後壁８２とを備えている。
【０１１２】
１対のカバー側壁８０は、左右方向に互いに間隔を隔てて対向配置されている。
【０１１３】
１対のカバー側壁８０のうち、左側に配置されるカバー側壁８０（以下、カバー左壁８０Ｌとする。）は、図２に示すように、側面視略矩形状の略平板形状に形成されている。カバー左壁８０Ｌは、側面視において、嵌合凹部６３とほぼ同一形状およびサイズに形成されており、嵌合凹部６３に嵌合可能に形成されている。
【０１１４】
１対のカバー側壁８０のうち、右側に配置されるカバー側壁８０（以下、カバー右壁８０Ｒとする。）は、図３に示すように、前後方向に延びる側面視略矩形の平板形状に形成されている。カバー右壁８０Ｒには、嵌合凸部８５と、電極カバー８４とが設けられている。
【０１１５】
嵌合凸部８５は、カバー右壁８０Ｒの下端縁の前後方向略中央部分から下方に向かって突出する側面視略半円形状に形成されている。嵌合凸部８５は、側面視において、嵌合凹部７０とほぼ同一形状およびサイズに形成されており、嵌合凹部７０に嵌合可能に形成されている。
【０１１６】
電極カバー８４は、カバー右壁８０Ｒとは別部材として、ポリカーボネートと、アクリロニトリル・ブタジエン・スチレン樹脂とのポリマーアロイなどの樹脂材料から形成されている。
【０１１７】
また、電極カバー８４は、前後方向に延びる側面視略矩形状の略平板形状に形成され、カバー右壁８０Ｒの右面における上側部分に支持されている。
【０１１８】
また、電極カバー８４には、第２干渉部支持部の一例としての電極保持部８６と、干渉部の一例としての第２干渉部８７とが一体的に設けられている。
【０１１９】
電極保持部８６は、電極カバー８４の右面における前端部から、右方に向かって突出する略角筒形状に形成されている。これにより、電極保持部８６は、カバー右壁８０Ｒよりも補強されている。
【０１２０】
第２干渉部８７は、電極保持部８６の上面に設けられており、側面視略クランク形状に形成されている。詳しくは、第２干渉部８７は、後側部分８９と、前側部分８８と、段差部９０とを一体的に有している。後側部分８９は、平面視略矩形状の略平板形状に形成されている。前側部分８８は、前側部分８８の前側かつ上側に配置され、平面視略矩形状の略平板形状に形成されている。段差部９０は、図１３に示すように、後側部分８９の前端部と、前側部分８８の後端部とを連結するように設けられ、後側部分８９の前端部から上方に向かうに従って後方に傾斜するように形成されている。
【０１２１】
また、第２干渉部８７の左右方向長さＬ２は、図４に示すように、第１干渉部６４の左右方向長さＬ１よりも長く形成されている。
【０１２２】
また、カバー右壁８０Ｒには、図３に示すように、帯電器電極９１が設けられている。帯電器電極９１は、右側から露出されるように、電極保持部８６内に収容されており、スコロトロン型帯電器２２と電気的に接続されている。なお、帯電器電極９１は、図示しないが、プロセスカートリッジ１５が後述する装着位置に配置された状態において、本体ケーシング２内に設けられる本体電極に接触される。そして、本体電極からの電力が、帯電器電極９１を介してスコロトロン型帯電器２２に供給される。
【０１２３】
カバー上壁８１は、両カバー側壁８０の上端部間に架設されており、左右方向に延び、下方に向かって開放される略角筒形状に形成されている。カバー上壁８１の内部には、図１に示すように、上記したスコロトロン型帯電器２２が支持されている。
【０１２４】
カバー後壁８２は、図２および図３に示すように、両カバー側壁８０の後端部間に架設され、その上端部がカバー上壁８１の後端部に接続されている。カバー後壁８２は、図１に示すように、下方に向かうに従って後方に傾斜するように形成されている。
【０１２５】
また、カバー後壁８２には、図２および図３に示すように、排紙開口９２が形成されている。排紙開口９２は、カバー後壁８２の中央部分に形成され、左右方向に延びる背面視略矩形状に貫通形成されている。
（３）ドラムフレーム
そして、ベースフレーム４６の嵌合凹部６３および嵌合凹部７０のそれぞれに、カバーフレーム４７のカバー左壁８０Ｌおよび嵌合凸部８５のそれぞれが嵌合されように、カバーフレーム４７をベースフレーム４６に組み付けると、ドラムフレーム４５が形成される。
【０１２６】
ドラムフレーム４５は、その前側部分が、現像カートリッジ収容部９５として区画され、その後側部分が、ドラム収容部９６として区画される。
【０１２７】
現像カートリッジ収容部９５は、図１および図２に示すように、詳しくは、１対の現像収容部側壁６１、ベース前壁５７およびベース下壁５５の前側部分により区画され、現像カートリッジ１９の着脱を許容するように上側が開放されて形成されている。
【０１２８】
そして、現像カートリッジ収容部９５には、現像カートリッジ１９が収容されている。現像カートリッジ１９が現像カートリッジ収容部９５に収容された状態において、左側のカラー部材４９は、ベース左壁５４Ｌのカラー受入溝６２に受け入れられ、右側のカラー部材４９は、ベース右壁５４Ｒのカラー受入溝７４に受け入れられる。
【０１２９】
ドラム収容部９６は、詳しくは、１対のドラム収容部側壁６０、ベース後壁５６、ベース下壁５５の後側部分およびカバーフレーム４７により区画されている。なお、ドラム収容部９６において、第１干渉部６４の後面と、第２干渉部８７の段差部９０とは、左右方向に投影したときに一致するように構成されている。
【０１３０】
また、ドラム収容部９６の内部空間には、感光ドラム２０が収容されている。
【０１３１】
感光ドラム２０は、ドラム本体９７と、ドラム軸９８とを備えている。
【０１３２】
ドラム本体９７は、左右方向に延びる略円筒形状に形成され、その周面には、周面を被覆するように樹脂からなる感光層が形成されている。ドラム軸９８は、左右方向に延びる略円柱形状に形成されており、その中心軸線がドラム本体９７の中心軸線と一致するように、ドラム本体９７内に相対回転可能に挿通されている。
【０１３３】
そして、ドラム軸９８の左端部１０５は、図２に示すように、ドラム収容部側壁６０およびカバー左壁８０Ｌを左右方向に相対回転不能に貫通し、ドラム軸９８の右端部１０６は、図３に示すように、ドラム収容部側壁６８および嵌合凸部８５を左右方向に相対回転不能に貫通している。
【０１３４】
これらにより、感光ドラム２０は、ベースフレーム４６およびカバーフレーム４７に、左右方向に延びる軸線Ａを中心として回転可能に支持されている。また、感光ドラム２０は、カバーフレーム４７のカバー上壁８１により上側から被覆されている。
【０１３５】
なお、ドラム軸９８の左端部１０５は、図２および図３に示すように、カバー左壁８０Ｌから左方に向かって突出し、ドラム軸９８の右端部１０６は、嵌合凸部８５から右方に向かって突出している。そして、ドラム軸９８の左端部１０５および右端部１０６のそれぞれは、第２被ガイド部の一例として機能する。
【０１３６】
また、第１干渉部６４は、図４に示すように、左右方向において、ドラム軸９８の左端部１０５の近傍に配置され、第２干渉部８７は、左右方向において、ドラム軸９８の右端部１０６の近傍に配置されている。
３．本体ケーシングの詳細
（１）カートリッジ装着部
本体ケーシング２は、図５に示すように、左右方向に間隔を隔てて対向配置される１対の本体側壁１００を備え、１対の本体側壁１００間には、図１に示すように、カートリッジ装着部１０１が設けられている。
【０１３７】
カートリッジ装着部１０１は、プロセスカートリッジ１５が装着されるように構成され、本体ケーシング２内の後側部分において、上下方向における給紙部３の後側部分と定着ユニット１７との間に配置されている。
【０１３８】
カートリッジ装着部１０１は、左右方向に延びる側面視略Ｌ字状に形成され、前側部分である第１装着部分１０２と、後側部分である第２装着部分１０３とを備えている。
【０１３９】
第１装着部分１０２は、前後方向に延びる側面視略矩形状に形成され、その下端部において、ピックアップローラ１１および給紙ローラ１２を回転可能に支持している。また、第１装着部分１０２の上面は、プロセスカートリッジ１５の下端部、詳しくは、現像カートリッジ収容部９５に対応するベース下壁５５の下面に沿うように形成されている。
【０１４０】
第２装着部分１０３は、上下方向に延びる側面視略矩形状に形成され、その前面における上下方向略中央部分には、係合溝１０４が形成されている。
【０１４１】
係合溝１０４は、第２装着部分１０３の前面から後方に向かって窪む側面視略湾曲形状に形成され、プロセスカートリッジ１５の後端部、詳しくは、ベース後壁５６の外周面に沿うように形成されている。
【０１４２】
そして、第２装着部分１０３は、第１装着部分１０２の後側に間隔を隔てて配置されている。これにより、第１装着部分１０２の後面と、第２装着部分１０３の前面における第１装着部分１０２と対向する部分とが、上記した給紙パス１４を形成している。
（２）ガイド部
また、本体ケーシング２には、図５に示すように、ガイド部１１０と、規制部の一例としての突起１１１とが設けられている。
【０１４３】
ガイド部１１０は、左右１対の本体側壁１００のそれぞれにおいて相対向するように設けられている。
【０１４４】
ガイド部１１０は、図９および図１２に示すように、第２ガイド部の一例としてのドラム軸ガイド部１１２と、第１ガイド部の一例としてのボスガイド部１１３と、当接部の一例としての当接面１１４とを備えている。
【０１４５】
ドラム軸ガイド部１１２は、本体側壁１００の左右方向内側面から左右方向外方に向かって窪むように形成され、本体側壁１００の上端部における前後方向略中央部分から、後方に向かうに従って下方に傾斜するように設けられている。また、ドラム軸ガイド部１１２の後端部は、本体側壁１００の後端部の上下方向略中央部分であって、第２装着部分１０３の係合溝１０４の前側に配置されている。
【０１４６】
ボスガイド部１１３は、本体側壁１００の左右方向内側面から左右方向外方に向かって窪むように形成され、ドラム軸ガイド部１１２の前側に間隔を隔てて設けられており、本体側壁１００の上端部から、下方に向かうに従って後方に傾斜するように設けられている。ボスガイド部１１３は、詳しくは、上側の第１部分１１５と、下側の第２部分１１６とを一体的に有している。
【０１４７】
第１部分１１５は、本体側壁１００の上端部から、ドラム軸ガイド部１１２と略同一の傾斜を有するように、後方に向かうに従って下方に傾斜するように設けられている。
【０１４８】
第２部分１１６は、第１部分１１５よりも下向きの傾斜が大きくなるように屈曲して、下方に向かうに従って後方に傾斜するように設けられている。つまり、ドラム軸ガイド部１１２およびボスガイド部１１３のそれぞれは、後述する装着方向Ｘの下流側、具体的には、後下方に向かうに従って、前後方向における互いの間隔が広がるように設けられている。
【０１４９】
また、第２部分１１６は、前下方に向かって膨出する側面視略湾曲形状に形成されている。また、第２部分１１６の後端部は、ドラム軸ガイド部１１２の後端部の前下方であって、第１装着部分１０２の前端部の前上側に配置されている。
【０１５０】
当接面１１４は、図５に示すように、本体側壁１００の上端部において、ドラム軸ガイド部１１２とボスガイド部１１３との間に形成され、図９に示すように、第１部分１１５の後端縁における上端部と、ボスガイド部１１３の前端縁における上端部とを連結するように、前後方向に沿って延びるように形成されている。
（３）突起
突起１１１は、図８および図１２に示すように、左右１対の本体側壁１００のそれぞれに設けられ、左右方向に投影したときに互いに一致するように設けられている。具体的には、突起１１１は、左側の本体側壁１００に設けられる第１突起１１７と、右側の本体側壁１００に設けられる第２突起１１８とを備えている。
【０１５１】
第１突起１１７は、図８に示すように、第１干渉部６４に対応して、左側の本体側壁１００の右面における後上側部分に設けられている。第１突起１１７は、前方に向かうに従って先細りとなる側面視略三角形状に形成され、図５に示すように、左側の本体側壁１００の右面から右方に向かって突出するように形成されている。
【０１５２】
第２突起１１８は、図１２に示すように、第２干渉部８７の段差部９０に対応して、右側の本体側壁１００の左面における後上側部分に設けられている。第２突起１１８は、前方に向かうに従って先細りとなる側面視略三角形状に形成され、左側の本体側壁１００の左面から左方に向かって突出して形成されている。
４．プロセスカートリッジの本体ケーシングに対する着脱動作
次に、プロセスカートリッジ１５の本体ケーシング２に対する着脱動作を説明する。
【０１５３】
プロセスカートリッジ１５を本体ケーシング２に装着するには、まず、図５に示すように、本体ケーシング２のトップカバー７を開放位置に配置させる。
【０１５４】
このとき、当接面１１４は、カートリッジ開口部５を介して、前上側から露出している。
【０１５５】
次いで、図１１および図１４に示すように、ドラムカートリッジ１８の把持部７５の把持部分７７を把持して、プロセスカートリッジ１５を、ドラム軸９８が後下側、左側ガイドボス６５および右側ガイドボス７２が前上側となるように配置する。
【０１５６】
つまり、プロセスカートリッジ１５の本体ケーシング２に対する装着動作時において、ドラム軸９８の左端部１０５および右端部１０６のそれぞれは、左側ガイドボス６５および右側ガイドボス７２に対して、前上方から後下方に向かう装着方向Ｘの下流側に設けられている。また、第１干渉部６４および第２干渉部８７は、プロセスカートリッジ１５における後下側部分、すなわち、装着方向Ｘの下流側部分に設けられている。
【０１５７】
そして、図１１および図１４に示すように、ドラム軸９８の左端部１０５および右端部１０６のそれぞれが、対応するドラム軸ガイド部１１２に前上側から嵌合するように、プロセスカートリッジ１５を、装着方向Ｘに沿って、カートリッジ開口部５を介して、本体ケーシング２内に挿入する。
【０１５８】
続いて、プロセスカートリッジ１５を、ドラム軸ガイド部１１２に沿って後下方に向かって押し込む。そうすると、ドラム軸９８の左端部１０５および右端部１０６のそれぞれが、対応するドラム軸ガイド部１１２にガイドされ、プロセスカートリッジ１５が、装着方向Ｘに沿って後下方に向かって移動される。このとき、ドラム軸ガイド部１１２は、図１１に示すように、ドラム軸９８の左端部１０５を基準としてガイドする。
【０１５９】
そうすると、左側ガイドボス６５および右側ガイドボス７２のそれぞれが、図１１および図１４に示すように、対応するボスガイド部１１３の第１部分１１５に前上側から嵌合される。
【０１６０】
これにより、プロセスカートリッジ１５は、左側ガイドボス６５および右側ガイドボス７２のそれぞれが、対応するボスガイド部１１３にガイドされるガイド位置に配置される。
【０１６１】
そして、プロセスカートリッジ１５をさらに後下方に向かって押し込むと、左側ガイドボス６５および右側ガイドボス７２のそれぞれは、対応する第１部分１１５にガイドされ、第１部分１１５の下端部に到達する。
【０１６２】
このとき、第１干渉部６４は、第１突起１１７の前下側を通過し、第２干渉部８７は、第２突起１１８の前下側を通過する。
【０１６３】
次いで、プロセスカートリッジ１５の把持部７５を下方に向かって押し込むと、ドラム軸９８の左端部１０５および右端部１０６のそれぞれが、対応するドラム軸ガイド部１１２にガイドされるとともに、左側ガイドボス６５および右側ガイドボス７２のそれぞれが、対応する第１部分１１５から第２部分１１６に移動され、第２部分１１６にガイドされる。
【０１６４】
これにより、プロセスカートリッジ１５は、装着方向Ｘに沿って後下方に向かって移動されるとともに、ドラム軸９８を支点として左側面視時計回りに回動される。
【０１６５】
このとき、ドラム軸ガイド部１１２は、ドラム軸９８の左端部１０５を基準としてガイドし、ボスガイド部１１３の第２部分１１６は、左側ガイドボス６５を基準としてガイドする。
【０１６６】
そして、プロセスカートリッジ１５は、仮想線で示すように、ドラム軸９８の左端部１０５および右端部１０６のそれぞれが、対応するドラム軸ガイド部１１２の下端部に到達するとともに、左側ガイドボス６５および右側ガイドボス７２のそれぞれが、対応する第２部分１１６の下端部に到達すると、それ以上の装着方向Ｘの下流側に向かう移動が規制される。
【０１６７】
このとき、プロセスカートリッジ１５は、その後端部が第２装着部分１０３の係合溝１０４に前側から受け入れられるとともに、その下端部が第１装着部分１０２に下側から支持される。
【０１６８】
これにより、プロセスカートリッジ１５は、カートリッジ装着部１０１に装着される装着位置に配置される。つまり、ガイド部１１０は、カートリッジ装着部１０１に対するプロセスカートリッジ１５の装着をガイドする。
【０１６９】
次いで、トップカバー７を開放位置から閉鎖位置に移動させることにより、プロセスカートリッジ１５の本体ケーシング２への装着が完了する。
【０１７０】
なお、プロセスカートリッジ１５を本体ケーシング２から離脱させるには、上記した装着動作と逆の手順に操作する。
（２）本体ケーシングに対するプロセスカートリッジの誤装着規制動作
しかるに、プロセスカートリッジ１５は、ユーザが誤って、上記した装着動作におけるプロセスカートリッジ１５の装着軌跡と異なる軌跡で、本体ケーシング２に挿入される場合がある。
【０１７１】
例えば、図９および図１２に示すように、ユーザが誤って、左側ガイドボス６５および右側ガイドボス７２のそれぞれが、対応するボスガイド部１１３とは異なるドラム軸ガイド部１１２側に移動するように、プロセスカートリッジ１５を、本体ケーシング２に対して過度に後方に押し込む場合がある。
【０１７２】
詳しくは、ドラム軸９８の左端部１０５および右端部１０６を対応するドラム軸ガイド部１１２に前上側から嵌合させた後、左側ガイドボス６５および右側ガイドボス７２がドラム軸ガイド部１１２側に移動するように、プロセスカートリッジ１５が、後下方に向かって本体ケーシング２に押し込まれる。
【０１７３】
このような場合、プロセスカートリッジ１５が後下方に向かって押し込まれると、第１干渉部６４が、図８に示すように、装着方向Ｘの上流側から、第１突起１１７と噛み合うように、第１突起１１７を受け入れる。また、第２干渉部８７が、図１２に示すように、装着方向Ｘの上流側から、第２突起１１８と噛み合うように、第２突起１１８を受け入れる。つまり、図８および図１２に示すように、第１干渉部６４と第１突起１１７とが係合するとともに、第２干渉部８７と第２突起１１８とが係合する。
【０１７４】
これにより、プロセスカートリッジ１５は、本体ケーシング２に対する、後下方に向かうそれ以上の挿入が規制される規制位置に配置される。
【０１７５】
このとき、図９および図１２に示すように、左側ガイドボス６５および右側ガイドボス７２のそれぞれは、対応する当接面１１４に上側から当接している。そのため、プロセスカートリッジ１５の前端部は、下方に向かう移動が規制されており、プロセスカートリッジ１５は、ドラム軸９８を支点とする左側面視時計回りの回動が規制されている。
【０１７６】
つまり、プロセスカートリッジ１５は、規制位置に配置された状態において、第１干渉部６４および第２干渉部８７のそれぞれが、第１突起１１７および第２突起１１８のそれぞれから離れる方向に移動することが規制されている。
【０１７７】
また、プロセスカートリッジ１５が規制位置に配置された状態において、把持部７５は、図６および図８に示すように、カートリッジ開口部５から、前上方に向かって突出している。
【０１７８】
また、左側ガイドボス６５および右側ガイドボス７２は、図６に示すように、対応する当接面１１４に当接した状態で、カートリッジ開口部５を介して、前上側から露出されている。
【０１７９】
また、ベース前壁５７および延出部７６は、図９および図１２に示すように、上下方向に沿うように配置されており、左側ガイドボス６５および右側ガイドボス７２のそれぞれは、その中心軸線がベース前壁５７の前側に位置するように配置されている。また、被押圧部７８のガイド面７９は、後下方と前上方とを結ぶ方向に沿うように配置されている。
（３）プロセスカートリッジの規制位置から装着位置への移動動作
プロセスカートリッジ１５が規制位置に配置された状態において、図９および図１２に示すように、トップカバー７を開放位置から閉鎖位置に向かって移動させると、押圧部１０の傾斜面４３の下端部が、把持部７５の延出部７６の上端部に後上側から当接するとともに、押圧部１０の下端部が被押圧部７８のガイド面７９に上側から当接する。
【０１８０】
このとき、左側ガイドボス６５および右側ガイドボス７２のそれぞれが、対応する当接面１１４と当接しているので、トップカバー７の開放位置から閉鎖位置への移動が規制される。
【０１８１】
次いで、トップカバー７を閉鎖位置に向かってさらに回動させると、押圧部１０の傾斜面４３が、把持部７５の延出部７６の上端部を前下方に向かって押圧するとともに、押圧部１０の下端部が、被押圧部７８のガイド面７９を前下方に向かって押圧する。
【０１８２】
そうすると、左側ガイドボス６５および右側ガイドボス７２が、図１０および図１３に示すように、当接面１１４にガイドされて、対応するボスガイド部１１３の第１部分１１５に向かって前方に移動される。このとき、ドラム軸９８の左端部１０５および右端部１０６は、対応するドラム軸ガイド部１１２にガイドされることにより、前上方に向かって移動される。
【０１８３】
これにより、プロセスカートリッジ１５は、その前端部が前方に向かって移動されるとともに、その後端部が前上方に向かって移動される。つまり、被押圧部７８のガイド面７９は、プロセスカートリッジ１５を規制位置からガイド位置に向かって移動させる。
【０１８４】
そうすると、図１３に示すように、第２干渉部８７が、前上方に向かって移動され、第２干渉部８７と第２突起１１８との係合が解除される。なお、図示しないが、第１干渉部６４も、同様に、前上方に向かって移動され、第１干渉部６４と第１突起１１７との係合が解除される。
【０１８５】
そして、左側ガイドボス６５および右側ガイドボス７２が、対応するボスガイド部１１３の第１部分１１５に到達すると、図１１および図１４に示すように、プロセスカートリッジ１５の自重により、第１部分１１５内に落下し、第１部分１１５の下端部に到達する。
【０１８６】
以上により、プロセスカートリッジ１５は、規制位置から、左側ガイドボス６５および右側ガイドボス７２が対応するボスガイド部１１３にガイドされるガイド位置に移動される。
【０１８７】
次いで、トップカバー７を、閉鎖位置に向かってさらに回動させると、押圧部１０が、把持部７５の被押圧部７８のガイド面７９を前下方に向かって押圧する。
【０１８８】
そうすると、ドラム軸９８の左端部１０５および右端部１０６が、対応するドラム軸ガイド部１１２にガイドされるとともに、左側ガイドボス６５および右側ガイドボス７２が、対応するボスガイド部１１３の第１部分１１５から第２部分１１６に移動され、第２部分１１６にガイドされる。
【０１８９】
これにより、プロセスカートリッジ１５は、トップカバー７の回動に伴って、装着方向Ｘに沿って後下方に向かって移動されるとともに、ドラム軸９８を支点として左側面視時計回りに回動される。
【０１９０】
そして、トップカバー７が閉鎖位置に配置されると、仮想線で示すように、ドラム軸９８の左端部１０５および右端部１０６が、対応するドラム軸ガイド部１１２の下端部に到達するとともに、左側ガイドボス６５および右側ガイドボス７２が、対応する第２部分１１６の下端部に到達する。
【０１９１】
このとき、プロセスカートリッジ１５は、仮想線で示すように、カートリッジ装着部１０１に装着される装着位置に配置される。
【０１９２】
以上により、トップカバー７の開放位置から閉鎖位置への回動に伴う、プロセスカートリッジ１５の規制位置から装着位置への移動が完了する。
６．作用効果
（１）プリンタ１では、図９に示すように、本体ケーシング２がガイド部１１０を有している。そのため、図１１および図１４に示すように、プロセスカートリッジ１５がカートリッジ装着部１０１に装着されるときに、プロセスカートリッジ１５は、ガイド部１１０にガイドされる。その結果、プロセスカートリッジ１５のカートリッジ装着部１０１に対する装着作業の円滑化を図ることができる。
【０１９３】
また、本体ケーシング２は、図８および図１２に示すように、突起１１１を有し、プロセスカートリッジ１５は、第１干渉部６４および第２干渉部８７を有している。そのため、プロセスカートリッジ１５が、装着軌跡と異なる軌跡で本体ケーシング２に挿入されると、第１干渉部６４および第２干渉部８７のそれぞれと、対応する突起１１１、具体的には、第１突起１１７および第２突起１１８のそれぞれとが係合し、プロセスカートリッジ１５の本体ケーシング２に対するそれ以上の挿入が規制される。その結果、プロセスカートリッジ１５の本体ケーシング２に対する誤った挿入を抑制できる。
【０１９４】
また、プロセスカートリッジ１５は、第１干渉部６４および第２干渉部８７のそれぞれと、第１突起１１７および第２突起１１８のそれぞれとが係合したときに、第１干渉部６４が第１突起１１７から、また、第２干渉部８７が第２突起１１８から離れる方向に移動することが、左側ガイドボス６５および右側ガイドボス７２が対応する当接面１１４と当接することにより規制されている。具体的には、プロセスカートリッジ１５は、左側ガイドボス６５および右側ガイドボス７２により、その前端部が下方に向かって移動することが規制されている。そのため、装着軌跡と異なる軌跡で本体ケーシング２に挿入されたときに、第１干渉部６４および第２干渉部８７のそれぞれと、第１突起１１７および第２突起１１８のそれぞれとを確実に接触させることができる。
（２）また、ガイド部１１０は、図１１に示すように、プロセスカートリッジ１５をカートリッジ装着部１０１に装着させるときに、プロセスカートリッジ１５の左端部、具体的には、ドラム軸９８の左端部１０５および左側ガイドボス６５を基準としてガイドする。そのため、ガイド部１１０がプロセスカートリッジ１５の左端部を確実にガイドできるので、プロセスカートリッジ１５の安定した装着動作を確保することができる。
（３）また、第２干渉部８７の左右方向長さＬ２は、図４に示すように、第１干渉部６４の左右方向長さＬ１よりも長く形成されている。
【０１９５】
しかるに、プロセスカートリッジ１５がカートリッジ装着部１０１に装着されるときに、ガイド部１１０が、プロセスカートリッジ１５のドラム軸９８の左端部１０５および左側ガイドボス６５を基準としてガイドすると、プロセスカートリッジ１５の右端部には、プロセスカートリッジ１５の公差などに起因して、相対的に大きなガタつきが生じる場合がある。
【０１９６】
この点、第２干渉部８７の左右方向長さＬ２が、第１干渉部６４の左右方向長さＬ１よりも長く形成されているので、プロセスカートリッジ１５がカートリッジ装着部１０１に装着されるときに、プロセスカートリッジ１５の右端部に相対的に大きなガタつきが生じても、第２干渉部８７と突起１１１とを確実に接触させることができる。
【０１９７】
そのため、プロセスカートリッジ１５の安定した装着動作を確保することができながら、プロセスカートリッジ１５の本体ケーシング２に対する誤った挿入を確実に抑制できる。
（４）また、第２干渉部８７は、図３に示すように、ドラムフレーム４５とは別部材の電極カバー８４に設けられており、第２干渉部８７を有する電極カバー８４は、ドラムフレーム４５に支持されている。そのため、図１２に示すように、第２干渉部８７と突起１１１とが接触するときの衝撃が、感光ドラム２０を収容するドラムフレーム４５に作用することを抑制でき、ひいては、感光ドラム２０に作用することを抑制できる。そのため、ドラムフレーム４５に対する感光ドラム２０の位置精度が低下することを抑制できる。
（５）また、ドラムフレーム４５は、図３に示すように、ベースフレーム４６と、ベースフレーム４６に組み付けられるカバーフレーム４７とを有している。
【０１９８】
そして、カバーフレーム４７のカバー右壁８０Ｒには、第２干渉部８７を支持する電極保持部８６が設けられている。
【０１９９】
そのため、図１２に示すように、第２干渉部８７と突起１１１との接触による衝撃は、第２干渉部８７を介して電極保持部８６に作用する。
【０２００】
この点、電極保持部８６は補強されているので、第２干渉部８７と突起１１１との接触による衝撃が電極保持部８６に作用しても、電極保持部８６が変形することを抑制できる。
【０２０１】
また、プロセスカートリッジ１５がカートリッジ装着部１０１に装着されるときに、ガイド部１１０が、プロセスカートリッジ１５の左端部を基準としてガイドすると、プロセスカートリッジ１５の右端部には、意図しない遠心力などの外力が作用する場合がある。
【０２０２】
この点、電極保持部８６が補強されているので、プロセスカートリッジ１５がカートリッジ装着部１０１に装着されるときに、プロセスカートリッジ１５の右端部に意図しない外力が作用しても、第２干渉部８７と第２突起１１８との接触による衝撃によって、電極保持部８６が変形することを確実に抑制できる。
（６）また、カバーフレーム４７は、図１に示すように、スコロトロン型帯電器２２を支持している。また、ベースフレーム４６のドラム収容部側壁６０には、図２に示すように、第１干渉部６４が設けられている。
【０２０３】
そのため、図８に示すように、第１干渉部６４と第１突起１１７とが接触したときの衝撃が、スコロトロン型帯電器２２を支持するカバーフレーム４７に作用することを抑制できる。その結果、図１に示すように、スコロトロン型帯電器２２と感光ドラム２０との相対的な位置精度が低下することを抑制できる。
【０２０４】
一方、第２干渉部８７は、図３に示すように、電極保持部８６に支持されているが、電極保持部８６が補強され変形が抑制されているので、第２干渉部８７と突起１１１とが接触したときの衝撃により、スコロトロン型帯電器２２と感光ドラム２０との相対的な位置精度が低下することを抑制できる。
（７）また、ベース右壁５４Ｒは、図２および図３に示されるように、ベース左壁５４Ｌよりも、剛性が大きくなるように構成されている。
【０２０５】
そのため、図１２に示すように、第２干渉部８７と第２突起１１８とが接触するときの衝撃が、ベース右壁５４Ｒに作用しても、ベース右壁５４Ｒが変形することを抑制できる。その結果、ドラムフレーム４５に対する感光ドラム２０の位置精度が低下することを確実に抑制できる。
【０２０６】
また、ベース右壁５４Ｒの剛性が大きくなるように構成されているので、プロセスカートリッジ１５がカートリッジ装着部１０１に装着されるときに、プロセスカートリッジ１５の右端部に意図しない外力が作用しても、第２干渉部８７と第２突起１１８との接触による衝撃によって、ベース右壁５４Ｒが変形することを確実に抑制できる。
（８）また、プロセスカートリッジ１５は、図２および図３に示すように、左側ガイドボス６５および右側ガイドボス７２を有している。また、本体ケーシング２の左右１対の本体側壁１００のそれぞれは、図５に示すように、当接面１１４を有している。
【０２０７】
そのため、プロセスカートリッジ１５がカートリッジ装着部１０１に対して装着されるときに、図１１および図１４に示すように、左側ガイドボス６５および右側ガイドボス７２が、対応するボスガイド部１１３にガイドされるので、プロセスカートリッジ１５のカートリッジ装着部１０１に対する円滑な装着作業を確実に確保することができる。
【０２０８】
また、プロセスカートリッジ１５が規制位置に配置された状態において、図９および図１２に示すように、左側ガイドボス６５および右側ガイドボス７２が、対応する当接面１１４と当接するので、プロセスカートリッジ１５の前端部が、下方に向かって移動することを確実に規制できる。
（９）また、当接面１１４は、図５に示すように、カートリッジ開口部５を介して、前上側から露出している。そのため、プロセスカートリッジ１５が規制位置に配置された状態において、図６に示すように、対応する当接面１１４に当接する左側ガイドボス６５および右側ガイドボス７２が、カートリッジ開口部５を介して、前上側から露出される。
【０２０９】
そのため、ユーザは、左側ガイドボス６５および右側ガイドボス７２のそれぞれと、対応する当接面１１４とが当接していることを容易に確認でき、プロセスカートリッジ１５が、装着軌跡と異なる軌跡で本体ケーシング２に挿入されていることを容易に把握できる。
（１０）また、第１干渉部６４および第２干渉部８７は、図８および図１２に示すように、本体ケーシング２に対するプロセスカートリッジ１５の装着動作時において、プロセスカートリッジ１５の装着方向Ｘの下流側部分に設けられている。
【０２１０】
そのため、プロセスカートリッジ１５の装着方向Ｘの下流側部分が、装着軌跡と異なる軌跡で、本体ケーシング２に挿入されると、第１干渉部６４および第２干渉部８７のそれぞれと、第１突起１１７および第２突起１１８のそれぞれとが接触し、プロセスカートリッジ１５が規制位置に配置される。
【０２１１】
つまり、プロセスカートリッジ１５の本体ケーシング２に対する誤った挿入時において、早期に、プロセスカートリッジ１５の移動を規制できる。
（１１）また、プロセスカートリッジ１５は、図２および図３に示すように、把持部７５を有している。
【０２１２】
そのため、プロセスカートリッジ１５がカートリッジ装着部１０１に着脱されるときに、把持部７５が把持でき、プロセスカートリッジ１５のカートリッジ装着部１０１に対する着脱作業の円滑化を図ることができる。
【０２１３】
また、把持部７５は、図６に示すように、プロセスカートリッジ１５が規制位置に配置された状態において、カートリッジ開口部５から、前上方に向かって突出している。
【０２１４】
そのため、把持部７５を把持して、規制位置に配置されるプロセスカートリッジ１５を、本体ケーシング２から容易に離脱させることができる。
（１２）また、本体ケーシング２は、図９および図１２に示すように、トップカバー７を有している。そして、トップカバー７は、プロセスカートリッジ１５が規制位置に配置されている状態において、開放位置から閉鎖位置への移動が規制される。
【０２１５】
そのため、プロセスカートリッジ１５が誤って本体ケーシング２に挿入されている状態で、トップカバー７が閉鎖位置に配置されることを抑制できる。
（１３）また、トップカバー７には、図１０および図１３に示すように、押圧部１０が設けられている。そして、トップカバー７を開放位置から閉鎖位置に向けてさらに移動させると、押圧部１０が、プロセスカートリッジ１５の把持部７５を押圧し、左側ガイドボス６５および右側ガイドボス７２が、対応するボスガイド部１１３に向かって移動される。これにより、プロセスカートリッジ１５が、規制位置からガイド位置に向かって移動される。
【０２１６】
そのため、規制位置にあるプロセスカートリッジ１５を、一旦本体ケーシング２から離脱させた後、再度、プロセスカートリッジ１５を本体ケーシング２に挿入する必要がなく、トップカバー７を開放位置から閉鎖位置に移動させることにより、プロセスカートリッジ１５を、規制位置からガイド位置に移動できる。
【０２１７】
その結果、プロセスカートリッジ１５のカートリッジ装着部１０１に対する着脱作業のより一層の円滑化を図ることができる。
（１４）また、被押圧部７８は、図９および図１２に示すように、ガイド面７９を有している。そして、押圧部１０が把持部７５を押圧したときに、ガイド面７９が、押圧部１０の下端部に押圧される。これにより、プロセスカートリッジ１５を規制位置からガイド位置に向かって確実に移動させることができる。
（１５）また、左側ガイドボス６５および右側ガイドボス７２は、図２および図３に示すように、左右方向に延びる略円筒形状に形成されている。
【０２１８】
そのため、図１０および図１３に示すように、左側ガイドボス６５および右側ガイドボス７２が対応するボスガイド部１１３に向かって前方に移動されるときに、左側ガイドボス６５および右側ガイドボス７２の円滑な移動を確保することができる。その結果、トップカバー７を開放位置から閉鎖位置に移動させたときに、プロセスカートリッジ１５の規制位置からガイド位置への円滑な移動を確保できる。
（１６）また、プロセスカートリッジ１５は、図２および図３に示すように、左右方向に延びるドラム軸９８を有している。そして、プロセスカートリッジ１５が、カートリッジ装着部１０１に装着されるときに、ドラム軸９８の左端部１０５および右端部１０６のそれぞれが、対応するドラム軸ガイド部１１２にガイドされる。そのため、プロセスカートリッジ１５カートリッジのカートリッジ装着部１０１に対する装着作業のより一層の円滑化を図ることができる。
【０２１９】
また、図４に示すように、第１干渉部６４および第２干渉部８７のそれぞれと、ドラム軸９８の左端部１０５および右端部１０６のそれぞれが、左右方向において互いに近傍に配置されているので、第１干渉部６４とドラム軸９８の左端部１０５との相対的な位置関係を一定に保つことができるとともに、第２干渉部８７とドラム軸９８の右端部１０６との相対的な位置関係を一定に保つことができる。
【０２２０】
そのため、図１２に示すように、ドラム軸９８の右端部１０６が対応するドラム軸ガイド部１１２にガイドされる一方、右側ガイドボス７２が、ボスガイド部１１３にガイドされていないときに、第２干渉部８７と第２突起１１８とをより一層確実に接触させることができる。
（１７）また、第１干渉部６４および第２干渉部８７のそれぞれは、図８および図１２に示すように、プロセスカートリッジ１５が装着軌跡と異なる軌跡で本体ケーシング２に挿入されたときに、第１突起１１７および第２突起１１８のそれぞれを装着方向Ｘの上流側から受け入れる。そのため、第１干渉部６４および第２干渉部８７のそれぞれと、第１突起１１７および第２突起１１８のそれぞれとを確実に係合させることができる。
【０２２１】
その結果、装着軌跡と異なる軌跡において、プロセスカートリッジ１５が本体ケーシング２に挿入されたときに、プロセスカートリッジ１５の本体ケーシング２に対するそれ以上の挿入を確実に規制できる。
７．変形例
上記したプリンタ１は、本発明の画像形成装置の一実施形態であり、本発明は、上記した実施形態に限定されない。
【０２２２】
本発明の画像形成装置は、上記したモノクロプリンタの他、カラープリンタとして構成することもできる。
【０２２３】
画像形成装置をカラープリンタとして構成する場合には、複数の感光ドラムと記録媒体搬送部材とを備えるダイレクト方式のタンデム型カラープリンタや、複数の感光ドラムと、中間転写体と、転写部材とを備える中間転写方式のタンデム型カラープリンタとして構成することができる。
【０２２４】
また、プロセスカートリッジ１５は、上記したようなドラムカートリッジ１８と現像カートリッジ１９とが分離する分離型の他、ドラムカートリッジ１８と現像カートリッジ１９とを一体的に備える一体型として構成することもできる。
【０２２５】
さらに、本体ケーシング２に感光体を設けて、現像カートリッジ１９のみを本体ケーシング２に対して着脱させることもできる。この場合、現像カートリッジ１９が、カートリッジの一例として対応する。
【０２２６】
また、上記の実施形態では、感光ドラム２０が回転体の一例であるが、回転体には、感光ドラム２０などの感光体の他、現像ローラ３４や、供給ローラ３３などのローラ部材などが含まれる。例えば、本体ケーシング２に感光体を設けて、現像カートリッジ１９のみを本体ケーシング２に対して着脱させる構成とした場合、現像カートリッジ１９に設けられる現像ローラ３４が回転体の一例として対応する。
【０２２７】
さらに、上記したプリンタ１は、画像読取部などを装備して、複合機として構成することもできる。
【０２２８】
これらによっても、上記した実施形態と同様の作用効果を奏することができる。なお、上記した実施形態および変形例は、適宜組み合わせることができる。
【符号の説明】
【０２２９】
１      プリンタ
２      本体ケーシング
５      カートリッジ開口部
７      トップカバー
１０    押圧部
１５    プロセスカートリッジ
２０    感光ドラム
４５    ドラムフレーム
４６    ベースフレーム
４７    カバーフレーム
５４    ベース側壁
５４Ｌ  ベース左壁５４Ｌ
５４Ｒ  ベース右壁５４Ｒ
６０    ドラム収容部側壁
６４    第１干渉部
７５    把持部
７９    ガイド面
８６    電極保持部
８７    第２干渉部
１０１  カートリッジ装着部
１０５  ドラム軸の左端部
１０６  ドラム軸の右端部
１１０  ガイド部
１１１  突起
１１２  ドラム軸ガイド部
１１３  ボスガイド部
１１４  当接面
【図１】
2014102405.tif 000003
【図２】
2014102405.tif 000004
【図３】
2014102405.tif 000005
【図４】
2014102405.tif 000006
【図５】
2014102405.tif 000007
【図６】
2014102405.tif 000008
【図７】
2014102405.tif 000009
【図８】
2014102405.tif 000010
【図９】
2014102405.tif 000011
【図１０】
2014102405.tif 000012
【図１１】
2014102405.tif 000013
【図１２】
2014102405.tif 000014
【図１３】
2014102405.tif 000015
【図１４】
2014102405.tif 000016